(57)【要約】 【課題】  調理途中に燃料補給ができるようにしたバーベキューコンロであって、簡易な構造で且つ安全に燃料供給を可能とする。【解決手段】  上方開口の本体部１の内部に適宜な火床部２を備え、上方開口部１１に網板や鉄板の調理板部４を配置してなるバーベキューコンロにおいて、調理板部４を左右複数に分割形成して（下方網板４１，上方網板４２）、異なる高さに配置すると共に、少なくとも分割した調理板部の一つ（下方網板４１）を本体部１の上方開口部内面に設けた載置部（下段載置部３１に、他の分割した調理板部（上方網板４２）側にスライド移動可能に載置してなる。【選択図】図３
2018117955.tif 000002
【特許請求の範囲】
【請求項１】
上方開口の本体部の内部に適宜な火床部を備え、上方開口部に網板や鉄板の調理板部を配置してなるバーベキューコンロにおいて、調理板部を左右複数に分割形成して異なる高さに配置すると共に、少なくとも分割した調理板部の一つを本体部の上方開口部内面に設けた載置部に、他の分割した調理板部側にスライド移動可能に載置してなることを特徴とするバーベキューコンロ。
【請求項２】
本体部の上方開口部の内面左右全長に多段に載置部を設け、各分割した各調理板部を各載置部に載置してなる請求項１記載のバーベキューコンロ。
【請求項３】
本体部の上方開口部内面を階段状に形成して載置部を設け、分割した各調理板を前記対向する載置部間の距離に対応した前後幅に形成してなる請求項２記載のバーベキューコンロ。
【発明の詳細な説明】
【技術分野】
【０００１】
本発明は、調理途中に燃料補給ができるようにしたバーベキューコンロに関するものである。
【背景技術】
【０００２】
火床部を備えた本体部の上方に網板等の調理板部を配置しているバーベキューコンロ器具において、調理途中に燃料補給を可能とした器具として、特許文献１，２に開示されているように、火床部を含む部分（火床構成部）を本体部から引き出し可能に設けて、網板を本体部に配置した状態のまま火床構成部を引き出して燃料（木炭等）補給を行うものである。
【０００３】
また網板（調理部）を動作させて本体部の上方開口部分から燃料補給する器具が提案されている。例えば特許文献３には、網板（調理部）と本体部とを回動脚杆で連結し、回動脚杆の回動で調理板部を本体の背面上方に移動させ、本体部の上面の前方側を開口して本体部への燃料供給を可能としている器具が開示されている。また特許文献４には網板を斜め後上方に移動させるスライドガイド機構を設け、網板を所定の位置で係止して本体部の開口した個所から燃料供給を可能としている器具が開示されている。
【０００４】
更に特許文献５には、網板を左右二分割して、本体部の左右側方にスライドさせて本体部を開口する器具が示されている。
【先行技術文献】
【特許文献】
【０００５】
【特許文献１】特開平７−２５５６１０号公報。
【特許文献２】特開２００９−２８７９１９号公報。
【特許文献３】特開２００３−１６４３８１号公報。
【特許文献４】特開２０１０−２１７７号公報。
【特許文献５】意匠登録１３４６６４０号公報。
【発明の概要】
【発明が解決しようとする課題】
【０００６】
調理途中に木炭などの燃料供給のための構造は、前記のとおり知られているが、火床構成部を引き出し状に本体部に組み込む器具は、燃焼中の火床構成部を動かすことになり安全性の点からも好ましく無い。
【０００７】
また網板（調理板部）を持ち上げ移動させる場合には、燃料供給時に持ち上げた網板が邪魔になると共に、調理中であれば網板上に食品が存在し、その網板の持ち上げ動作時に食品が地面や火床部に落下する恐れがある。同様に網板を左右に開口する器具においても、網板上食品が落下する恐れがあり、且つ網板が側方に突出して安定性に欠け、安定性を求めると燃料供給のための開口面積が小さくなる。
【０００８】
そこで本発明は簡易な構造で且つ安全に燃料供給を可能とした新規なバーベキューコンロを提案したものである。
【課題を解決するための手段】
【０００９】
本発明の請求項１記載に係るバーベキューコンロは、上方開口の本体部の内部に適宜な火床部を備え、上方開口部に網板や鉄板の調理板部を配置してなるバーベキューコンロにおいて、調理板部を左右複数に分割形成して異なる高さに配置すると共に、少なくとも分割した調理板部の一つを本体部の上方開口部内面に設けた載置部に、他の分割した調理板部側にスライド移動可能に載置してなることを特徴とするものである。
【００１０】
而して本体部内の火床部に燃料を置き点火し、調理板部上に食品を置き、所定の調理を行うもので、燃料供給（木炭補充）に際しては、スライド可能な分割調理板部を他方の分割調理板側に移動させると、本体部の調理板部で覆われていた上方開口部の一部が開口状態となり、当該開口箇所が燃料供給（木炭補充）を行う。尚スライドさせる分割調理板部上に食品が存在している場合は、他方の分割調理板部に予め移しておく。
【００１１】
本発明の請求項２記載に係るバーベキューコンロは、特に本体部の上方開口部の内面左右全長に多段に載置部を設け、分割した各調理板部を各載置部に載置してなるもので、いずれの分割した各調理板部も移動可能となるので、燃料供給用の開口箇所を選択できる。
【００１２】
また本発明の請求項３記載に係るバーベキューコンロは、本体部の上方開口部内面を階段状に形成して載置部を設け、分割した各調理板部を前記対向する載置部間の距離に対応した前後幅に形成してなるもので、分割調理板部の本体部への着脱が上方開口部の上方から容易に行うことができる。
【発明の効果】
【００１３】
本発明の構成は上記のとおりで、簡易な構造で燃料（木炭）の補充を容易に行うことができる器具を提供したものである。
【図面の簡単な説明】
【００１４】
【図１】本発明の実施形態の分解斜視図。
【図２】同斜視図（木炭投入口閉口状態）。
【図３】同図（木炭投入口開口状態）。
【図４】同断面図。
【発明を実施するための形態】
【００１５】
次に本発明の実施形態について説明する。バーベキューコンロは、一般に火床部２を備えた本体部１に脚を付設し、また本体部１には空気孔や灰落とし機構等を備えているが、実施形態は、本発明を適用したバーキューコンロの要点のみ示し、他の付加される一般的構成は省略した。
【００１６】
本体部１は上方を開口した（上方開口部１１を備えた）箱型で、内部下方に適宜な目皿状の火床部２を備えてなり、上方開口部１１に網板や鉄板の調理板部を配置してなる。更に本体部１の上方開口部１１の前後縁の全長に渡って上下２段の適宜な段差とした階段状の載置部３（下段載置部３１，上段載置部３２）を設けてなる。
【００１７】
網板（調理板部）４は、上方開口部１１に対応する大きさで左右に二分割し、前後幅が下段載置部３１に対応する下方網板４１と上段載置部３２に対応する上方網板４２に形成するものである。
【００１８】
而して本体部１内の火床部２に燃料を置いて点火し、下方網板４１及び上方網板４２をそれぞれ下段載置部３１及び上段載置部３２に載置して上方開口部１１を覆い、前記網板４上に食品を置き、所定の調理を行うものである。
【００１９】
調理中に木炭を補充するというような燃料補給を行う場合には、例えば下方網板４１上から食品を上方網板４２上に移し、下方網板４１を上方網板４２の下方にスライド移動させると、網板（下方網板４１及び上方網板４２）４で覆われていた上方開口部１１の一部が開口し、当該開口箇所Ａから木炭補充（燃料供給）を行うものである。
【００２０】
尚本発明は前記実施形態に限定されるものではなく、網板（調理板部）４の分割を三分割とし、三段の載置部３を設けて組み合わせても良く、特に分割数を多くすると、燃料補充の開口個所を広くすることができる。また載置部３を階段状とせずに、レール状の部材を同一面に相違する高さに多段に設けても良い。
【００２１】
更に燃料投入可能な開口が形成されるものであれば、スライド可能長を適宜定めることができ、載置部を左右全長に渡って形成しなくとも良く、一部の分割網板（分割調理板部）は固定状態に組み込むものであっても良い。
【符号の説明】
【００２２】
１    本体部
１１    上方開口部
２    火床部
３    載置部
３１    下段載置部
３２    上段載置部
４    網板（調理板部）
４１    下方網板
４２    上方網板
【図１】
2018117955.tif 000003
【図２】
2018117955.tif 000004
【図３】
2018117955.tif 000005
【図４】
2018117955.tif 000006